(57)【要約】  カセットアセンブリは、通常デジタル信号ケーブルに接続された少なくとも二つの電気プラグを保持する。一例では、６個のプラグはカセット内に２列×３個に配置され、同様に配置されたスイッチポートジャックへプラグを同時に接続することができる。ジャックから全てのプラグを同時に取り外すために、ハウジングに枢動可能に接続されたレバーが回転すると、カセットに保持されたプラグのリリースラッチがロック位置からロック解除位置へ移動する。クリップの突起がプラグの移動経路内に位置するように、ハウジングクリップがハウジング内に設けられる。また略Ｕ字形状構造のロッキングクリップは、レバーの動きを阻害するためにカセットに容易に取り付けられ、対向腕、腕の間に配置された圧縮抵抗部材、およびハウジングに形成された開口部に係合するよう各腕に設けられたタブを有する。架橋クリップは、二つ以上のカセットアセンブリをまとめるよう提供される。
2010530121.tif 000002
【特許請求の範囲】
【請求項１】
カセットアセンブリが少なくとも二つの電気プラグを保持するためのハウジングと、レバーとを備え、
前記各プラグはリリースラッチを備え、かつ前記ハウジングは間隔の空いた二つの側壁を備え、
前記レバーの回転によって、少なくともひとつの前記電気プラグの前記リリースラッチをラッチ位置からラッチ解除位置に移動させるように、前記レバーは前記ハウジングの前記間隔の空いた側壁に枢動可能に接続されているカセットアセンブリ。
【請求項２】
前記ハウジングが高強度プラスチックによって構成されている、請求項１に記載のカセットアセンブリ。
【請求項３】
前記ハウジングが二列のプラグを保持するよう構成され、各列が少なくとも二つの電気プラグを収容し、かつ一方の列の前記プラグが他方の列の前記プラグの上にそれぞれ配置されている、請求項１に記載のカセットアセンブリ。
【請求項４】
少なくともひとつの前記側壁が前記ハウジングの側面に隣接して配置された切欠きを形成し、該切欠きは、電気接続を行うために、少なくとも二つの前記電気プラグへのアクセスを提供している、請求項１に記載のカセットアセンブリ。
【請求項５】
カセットアセンブリが、前記ハウジングの間隔の空いた前記二つの側壁に枢動可能に接続され、かつ前記レバーの回転路経内に配置された操作部をさらに含み、前記レバーの前記回転により前記操作部が回転移動をする、請求項１に記載のカセットアセンブリ。
【請求項６】
前記レバーの回転が前記操作部を回転させるように、少なくとも二つの前記電気プラグの少なくともひとつのリリースラッチが前記操作部の回転経路内に位置し、前記操作部が少なくともひとつの前記リリースラッチに力を加える、請求項５に記載のカセットアセンブリ。
【請求項７】
カセットアセンブリが、前記ハウジングの間隔の空いた前記二つの側壁に枢動可能に接続され、かつ前記レバーから間隔を空けて配置された他のレバーをさらに備え、前記レバーが使用者の親指、および少なくとも１本の指のひとつを受け入れ、かつ前記他のレバーが、前記レバーによって受け入れられない親指および少なくとも１本の指の他方を受け入れ、前記レバーおよび前記他のレバーに対して力を加えることにより前記レバーおよび前記他のレバーを互いの方向に向かって回転させる、請求項６に記載のカセットアセンブリ。
【請求項８】
前記他のレバーが他の操作部の回転経路内に位置し、前記他の操作部が前記ハウジングの間隔の空いた前記二つの側壁に枢動可能に接続され、かつ少なくともひとつの他のプラグリリースのリリースラッチが前記他方の操作部の回転経路内に位置している、請求項７に記載のカセットアセンブリ。
【請求項９】
前記レバーおよび前記他のレバーに対して力を加えることにより少なくとも二つの前記電気のプラグの少なくともひとつの前記リリースラッチがラッチ位置からラッチ解除位置へ移動し、かつ前記他のプラグの前記リリースラッチがラッチ位置からラッチ解除位置へ移動する、請求項８に記載のカセットアセンブリ。
【請求項１０】
カセットアセンブリが本体を備えるロッキングクリップをさらに含み、前記ロッキングクリップは、前記ロッキングクリップの少なくとも一部分が前記レバーの前記回転経路に位置するように前記ハウジングの前記二つの対向側壁に接続可能である、請求項１に記載のカセットアセンブリ。
【請求項１１】
前記ロッキングクリップの前記本体は略Ｕ字形状である、請求項１０に記載のカセットアセンブリ。
【請求項１２】
前記ロッキングクリップがロッキングタブをさらに備え、前記ロッキングクリップが前記レバーの前記回転経路に位置する状態において前記ロッキングタブが前記ハウジングの間隔の空いた前記側壁のひとつによって形成された開口部の一部分をふさぎ、前記レバーがまた前記開口部をふさぐタブを備え、前記レバーの動きを制限するように前記開口部が実質的にふさがれる、請求項１１に記載のカセットアセンブリ。
【請求項１３】
前記ロッキングクリップがリリースラッチへのアクセスを阻害するよう配置されたタブをさらに備える、請求項１０に記載のカセットアセンブリ。
【請求項１４】
前記ロッキングクリップを前記レバーに固定するために、前記レバーの一部、および前記ロッキングクリップの一部の周囲に配置可能なケーブルタイをさらに含む、請求項１０に記載のカセットアセンブリ。
【請求項１５】
カセットアセンブリが、先細対向側壁および前記各対向側壁から前記先細対向側壁間方向へ延在するロッキングタブを備える架橋クリップをさらに含み、前記先細対向側壁は、前記ハウジングの前記間隔の空いた側壁のうちの一方および他方のハウジングの他方の側壁を前記先細側壁の間に受け入れるよう設けられており、一方のロッキングタブは、前記ハウジングの前記側壁に形成された開口部を通じて突出し、かつ他方のロッキングタブは、前記他方のハウジングの前記他方の側壁に形成された他方の開口部を通じて突出している、請求項１に記載のカセットアセンブリ。
【請求項１６】
前記レバーが使用者の親指および少なくとも１本の指のひとつを受け入れる略平坦部を備える、請求項１に記載のカセットアセンブリ。
【請求項１７】
カセットアセンブリがハウジングクリップをさらに含み、前記ハウジングクリップは略平面本体および前記本体から離れる方向へ延在する少なくともひとつの突起を備え、前記突起は、プラグの前記ハウジングからの移動経路内に位置している請求項１に記載のカセットアセンブリ。
【請求項１８】
前記ハウジングが電気プラグを受け入れるための二列のレセプタクルを備える、請求項１に記載のカセットアセンブリ。
【請求項１９】
カセットアセンブリが、
少なくとも二つの電気プラグを保持するためのハウジングと、
略平面本体および前記本体の側面から前記本体を離れる方向へ延在する少なくともひとつの突起を備えるハウジングクリップとを備え、
前記ハウジングクリップが前記ハウジング内に配置された状態において前記突起は、プラグの前記ハウジングからの移動経路内に位置しているカセットアセンブリ。
【請求項２０】
前記ハウジングクリップが前記ハウジング内に配置された状態において、前記突起が前記プラグの前記ハウジングからの移動経路方向と概ね逆の方向に延在している、請求項１９に記載のカセットアセンブリ。
【請求項２１】
前記ハウジングクリップが第二突起をさらに備え、前記第二突起は、前記突起と概ね同じ方向に延在し、前記ハウジングクリップが前記ハウジング内に配置された状態において、前記第二突起は、他のプラグの前記ハウジングからの移動経路内に位置し、かつ前記他のプラグの移動経路は前記プラグの前記移動経路の下および上のうちのひとつに位置している、請求項１９に記載のカセットアセンブリ。
【請求項２２】
前記ハウジングクリップが第三突起をさらに備え、前記第三突起が前記本体の反対側から延在し、かつ前記ハウジングクリップが前記ハウジング内に配置された状態において、前記第三突起は第三のプラグの前記ハウジングからの移動経路内に位置し、前記第三のプラグの前記移動経路は前記プラグの前記移動経路から横方向に離れて位置している、請求項１９に記載のカセットアセンブリ。
【請求項２３】
前記突起を前記プラグの前記移動経路から取り除くために、前記突起が前記ハウジングクリップの前記本体に向かう方向へたわむことができるように前記突起が可撓性材料から構成されている、請求項１９に記載のカセットアセンブリ。
【請求項２４】
ロッキングクリップが
対向する腕を備える略Ｕ字形状本体と、
前記対向する腕の間に配置された圧縮抵抗部材と、
前記略Ｕ字形状本体の各腕に配置されたタブとを備え、前記各タブはカセットプラグハウジング内に形成された個別の開口部に係合するよう設けられている、ロッキングクリップ。
【請求項２５】
前記略Ｕ字形状本体の各前記対向する腕に配置されたつまみタブをさらに備える、請求項２４に記載のロッキングクリップ。
【請求項２６】
圧縮力が前記対向つまみタブに加えられた状態において、前記略Ｕ字形状本体の前記腕が共に近づくように動き、かつ前記タブが共に近づくように動く、請求項２５に記載のロッキングクリップ。
【請求項２７】
圧縮力が前記対向つまみタブに加えられた状態において、前記圧縮抵抗部材が圧縮する、請求項２６に記載のロッキングクリップ。
【請求項２８】
前記略Ｕ字形状本体がプラスチック、弾性金属およびバネ鋼のひとつから構成されている、請求項２４に記載のロッキングクリップ。
【請求項２９】
カセットアセンブリが、
少なくとも二つの電気プラグを保持することが可能なハウジングの側壁と、
少なくとも二つの他の電気プラグを保持することが可能な他のハウジングの他の側壁と、
先細対向側壁および前記各対向側壁から前記先細対向側壁間方向へ延在するロッキングタブを備える架橋クリップとを備え、
前記先細対向側壁は、前記先細側壁の間に、前記ハウジングの前記側壁、および前記他のハウジングの前記他の側壁を受け入れるよう設けられ、一方のロッキングタブは、前記側壁に形成された一方の開口部を通じて突出し、他方のロッキングタブは前記他方の側壁に形成された他方の開口部を通じて突出している、カセットアセンブリ。
【請求項３０】
カセットアセンブリが第二架橋クリップをさらに備え、前記架橋クリップは前記側壁および前記他の側壁の上部に配置され、かつ前記第二架橋クリップは前記側壁および前記他の側壁の下部に配置されている、請求項２９に記載のカセットアセンブリ。
【請求項３１】
前記架橋クリップがバネ鋼から構成されている請求項２９に記載のカセットアセンブリ。
【請求項３２】
前記側壁の一部および前記他の側壁の一部が斜めになっている、請求項２９に記載のカセットアセンブリ。
【請求項３３】
前記先細側壁の下部の一部が広がっている、請求項２９に記載のカセットアセンブリ。
【請求項３４】
ケーブルアセンブリが、複数のケーブルおよび前記複数のケーブルに接続されたカセットアセンブリを備え、
前記各ケーブルは少なくとも一端が対応する電気プラグにて終端され、前記各プラグはリリースラッチを有し、
前記カセットアセンブリは少なくとも二つの前記電気プラグを保持するためのハウジングおよびレバーを含み、
前記ハウジングは、間隔の空いた二つの側壁を備え、
前記レバーの回転によって、少なくともひとつの前記電気のプラグの前記リリースラッチをラッチ位置からラッチ解除位置へ移動させるように、前記レバーは前記ハウジングの前記間隔の空いた側壁に枢動可能に接続されている、ケーブルアセンブリ。
【請求項３５】
少なくとも二つの電気プラグを保持するためのコネクタアセンブリであって、前記各プラグがリリースラッチを備え、前記コネクタアセンブリが、
少なくとも二つの電気プラグを保持するためのハウジングと、
前記ハウジングに枢動可能に接続された第一レバーと、
前記ハウジングに枢動可能に接続され、かつ前記第一レバーに対向する第二レバーとを備え、前記第一レバーおよび前記第二レバーの回転が少なくともひとつの前記電気プラグの前記リリースラッチをラッチ位置からラッチ解除位置へ移動させるよう働く、コネクタアセンブリ。
【請求項３６】
ケーブルアセンブリが，
複数のケーブルおよび前記複数のケーブルに接続されたコネクタアセンブリを備え、
前記各ケーブルは少なくとも一端が対応する電気プラグにて終端され、前記各プラグはリリースラッチを有し、
前記コネクタアセンブリは、
少なくとも二つの電気プラグを保持するハウジングと、
前記ハウジングに枢動可能に接続された第一レバーと、
前記ハウジングに枢動可能に接続され、かつ前記第一レバーに対向する第二レバーとを含み、前記第一レバーおよび前記第二レバーの回転が、少なくともひとつの前記電気プラグの前記リリースラッチをラッチ位置からラッチ解除位置へ移動させるよう働く、ケーブルアセンブリ。
【発明の詳細な説明】
【技術分野】
【０００１】
本発明は概してケーブルのスイッチへの接続に関連し、特に多数のプラグを保持することが可能であり、多数のプラグを同時にスイッチポートジャックに接続することができるギャングタイプ（gang-type）プラグカセットに対するものである。
【背景技術】
【０００２】
関連出願の相互参照
本発明は、２００７年１２月５日出願の米国仮出願第６０／９９２，４５０号、および２００７年６月１２日出願の米国仮出願第６０／９４３，４１３号の優先権を主張し、これらの出願の内容は参照として本明細書に組み込まれている。
【発明の概要】
【課題を解決するための手段】
【０００３】
カセットアセンブリは、少なくとも二つの電気プラグを保持するためのハウジングを含み、各プラグはリリースラッチを含み、かつハウジングは二つの隔てられた側壁、およびハウジングに枢動可能に接続されたレバーを含み、レバーの回転により電気プラグの少なくともひとつのリリースラッチをラッチ位置からラッチ解除位置へ移動させる。
【０００４】
カセットアセンブリは、少なくとも二つの電気プラグを保持するためのハウジングと、略平面の本体および本体の側面から本体から離れる方向に延在する少なくともひとつの突起を備えるハウジングクリップとを含み、該突起は、プラグのハウジングからの取り外し経路に位置するとともに、ハウジングクリップはハウジング内に位置している。
【０００５】
ロッキングクリップは、略U字形状の本体を含み、該略U字形状の本体は、対向する腕、略Ｕ字形状本体の対向する腕の間に配置された圧縮抵抗部材、および略U字形状本体の各腕に配置されたタブを有し、各タブはカセットプラグハウジングに形成された個別の開口部に係合するよう設けられている。
【０００６】
カセットアセンブリは、ハウジングの側壁および架橋クリップを含み、該ハウジングは少なくとも二つの電気プラグを保持することが可能であり、他方のハウジングの他方の側壁は少なくとも二つの電気プラグを保持することが可能であり、架橋クリップは先細対向側壁、および各対向側壁から先細対向側壁の間の方向へ延在するロッキングタブを含み、先細対向側壁は先細側壁の間にハウジングの側壁および他方のハウジングの他方の側壁を受け入れるよう設けられ、一方のロッキングタブは側壁内に形成された開口部から突出し、他方のロッキングタブは他方の側壁に形成された別の開口部から突出している。
【図面の簡単な説明】
【０００７】
【図１】多数のプラグが接続された簡易脱着型プラグカセットアセンブリの例の前正面図である。
【図２】図１の簡易脱着型プラグカセットアセンブリの上前面からの斜視図である。
【図３】図１の簡易脱着型プラグカセットアセンブリの下背面からの斜視図である。
【図４】図１の簡易脱着型プラグカセットアセンブリの上平面図である。
【図５】図１の簡易脱着型プラグカセットアセンブリの分解斜視図である。
【図６】図４に示す簡易脱着型プラグカセットアセンブリの線６−６に沿った断面図である。
【図７】図４に示す簡易脱着型プラグカセットアセンブリの線７−７に沿った断面図である。
【図８】図１に示す簡易脱着型プラグカセットアセンブリの線８−８に沿った断面図である。
【図９】ロッキングクリップの実施形態の上方からの斜視図である。
【図１０】図９のロッキングクリップの上平面図である。
【図１１】カセットアセンブリおよびロッキングクリップの実施形態の分解斜視背面図である。
【図１２】ロッキングクリップがカセットアセンブリの上部に位置し、上部解放レバーがはずされ、ロッキングクリップがカセットアセンブリの下部の下部開放レバーに隣接して位置する状態の図１１のカセットアセンブリの背面斜視図である。
【図１３】上部および下部解放レバーがなく、上部および下部プラグ解放操作部がないカセットアセンブリの後正面図である。
【図１４】図１２のカセットアセンブリの上前面からの斜視図である。
【図１５】図１４の部分１５の詳細拡大図である。
【図１６】ロッキングクリップがカセットアセンブリの上部解放レバーに隣接して配置され、ロッキングクリップがない状態で下部解放レバーがカセットアセンブリの下部に配置されている図１１のカセットアセンブリの背面からの斜視図である。
【図１７】図１６の部分１７の詳細拡大図である。
【図１８】架橋クリップの実施形態の斜視図である。
【図１９】図１８の架橋クリップの前正面図である。
【図２０】上部解放レバーおよび上部プラグ解放操作部がない状態の別のカセットアセンブリに隣接して位置するカセットアセンブリの実施形態の背面からの斜視図であり、図１８の架橋が２つのカセットアセンブリを共に固定している。
【図２１】図２０の部分２１の詳細拡大図である。
【図２２】並んで配置された２つのカセットアセンブリの背面からの分解斜視図であり、２つの架橋クリップが２つのカセットアセンブリの上部および下部を接続するように位置している。
【図２３】架橋ブリッジが２つのカセットアセンブリを係合している状態の図２２の２つのカセットアセンブリの背面からの斜視図である。
【発明を実施するための形態】
【０００８】
図１〜図８に示すように、一例において簡易脱着型プラグカセットアセンブリ１０は、好ましくは高強度プラスチックからなる略長方形のハウジング１２を含む。ハウジング１２は、間隔の空いた略平面状の第一および第二対向側壁２０ａ、２０ｂを含み、該側壁は、様々な図に示され下記に記載されている、強固な構造を形成するための多様な内部構造により接続されている。図１３に示されるように、ここに示される実施形態の１つの内部構造は、図１に示すようにプラグ１４ａ、１４ｂ、１４ｃ、１４ｄ、１４ｅおよび１４ｆをそれぞれ保持する二列のレセプタクル２３４、２３６、２３８、２４０、２４２および２４４を含む。各プラグ１４ａ〜１４ｆは、リリースラッチ６４ａ〜６４ｆをそれぞれ有する。図１４に示すように切欠き４９は、図１に示すような接続のためにプラグにアクセスするカセットアセンブリ１０の側面近くに配置される。アセンブリ１０に収容されるプラグが、あるネットワークスイッチに接続されている場合に、切欠き４９はカセットアセンブリ１０に隙間を提供する。このようなスイッチは、それらスイッチアセンブリから外向きに突出した部分を有し、切欠き４９がなければカセットアセンブリ１０に収容されたプラグは意図したジャックに係合しにくくなる。
【０００９】
この実施形態において、ハウジング１２は、第１から第６のパッチコードプラグ１４ａ〜１４ｆを受け入れるよう設けられている。各プラグ１４ａ〜１４ｆは、第１から第６のパッチコードケーブル１８ａ〜１８ｆの各終端に結合されている。図１〜図５に示すように、各第１〜第６プラグ１４ａ〜１４ｆは、スイッチ（簡略化のために図示せず）の相補的な一連の電気接点に電気接続するための一連の電気接点１６ａ〜１６ｆをそれぞれ含む。また、第一および第二側壁２０ａ、２０ｂそれぞれの上部および下部に、ハウジング１２に収容されたプラグを同時にアンロック、およびロックするために利用される上部解放レバー２２および下部解放レバー２４が取り付けられている。
【００１０】
上部および下部解放レバー２２、２４は全く同一の構成、作用、およびハウジング１２内の位置である。したがって、上部解放レバー２２のみをここでは詳細に説明する。図５に示すように、上部解放レバー２２は、概ね平らな拡張部分４０を含み、拡張部分はその第一前端に複数の接続要素を有する。これらの接続要素は、外側、または端の、第一および第二枢動コネクタ４２ａ、４２ｂ、および内側の第一および第二枢動コネクタ４４ａ、４４ｂを含む。各第一および第二外側枢動コネクタ４２ａ、４２ｂは、第一および第二側壁２０ａ、２０ｂの内面にそれぞれ設置された第一および第二外側保持部材５２ａ、５２ｂのひとつにそれぞれ係合するよう設けられた、凹んだ、外側に曲線の部分を含む。レバー２２は、手でコネクタ４２ａ、４２ｂの曲線部分を、間隔の空いた対向側壁２０ａ、２０ｂそれぞれに配置された外側保持部材５２ａ、５２ｂに係合することにより枢動可能に接続される。上部解放レバーの外側コネクタ４２ａ、４２ｂと、外側保持部材５２ａ、５２ｂとの間の接続により、上部解放レバー２２を図５に示す第一および第二外側保持部材５２ａ、５２ｂによって形成された軸Ａ回りに枢動可能にハウジング１２内に配置することができる。各第一および第二内側枢動コネクタ４４ａ、４４ｂは、一対の対向した凹んだ曲線部分を含む。同様に、外側コネクタ４２ａ、４２ｂが外側保持部材５２ａ、５２ｂに係合するのに伴い、上部解放レバー２２の各内側枢動コネクタ４４ａ、４４ｂは、ハウジング１２の上部前方に設置された第一および第二内側保持部材５４ａ、５４ｂそれぞれに挿入するよう設けられている。上部解放レバー２２がハウジング１２内に軸Ａ回りに枢動できるようにしながら内側枢動コネクタを内側保持部材内に確実に保持するために、各第一および第二内側枢動コネクタ４４ａ、４４ｂの曲線部分は、第一および第二内側保持部材５４ａ、５４ｂ内に内向きに延在する一対の突起５６のひとつをそれぞれ受け入れるよう設けられている。図５および図６に明らかなように、使用者の親指または対向する指の１つが拡張部分４０に力を加えることにより、上部解放レバー２２は軸Ａまわりに回転する。上部レバー２２の回転経路は、図６および図７の矢印２７に示され、上部レバー２２の部分２２ａは上部レバー２２の回転経路２７内の上部プラグ解放操作部２６を押す。また上部および下部プラグ解放操作部２６、２８はハウジング１２内に設置されている。上部および下部プラグ解放操作部２６、２８は、同一の構成、作用、およびハウジング１２内の配置であるため、上部プラグ解放操作部のみをここで詳細に説明する。
【００１１】
図５に示すように、上部プラグ解放操作部２６は、後部円柱棒４６を含む。後部円柱棒４６の対向端は、第一および第二側壁２０ａ、２０ｂの円形開口部３４ａ、３６ａにそれぞれ位置するよう設けられている。上部プラグ解放操作部２６は、図５に示すように位置合わせされた円形開口部３４ａ、３６ａを通る、後部円柱棒４６により形成された軸Ｂまわりに自由に枢動する。操作部２６を押す上部レバーにより、操作部２６は軸Ｂまわりに回転する。第一、第二および第三の腕４８ａ、４８ｂ、４８ｃが後部円柱棒４６から前方に延在する。上部プラグ解放操作部２６の回転または枢動移動経路は図６および図７の矢印２９に示され、第一、第二および第三の前方に延在する腕４８ａ、４８ｂ、４８ｃは上方および下方へ移動することができる。後部円柱棒４６は、ハウジング１２の第一および第二側壁２０ａ、２０ｂの間の間隔の空いた部材に設置された複数の凹状のくぼみ５８にその長さが沿うように設置される。間隔の空いた凹状くぼみ５８は、上部プラグ解放操作部２６を支持し、ハウジング１２内の固定位置に保持する一方で、上部プラグ解放操作部が、ハウジング１２の第一および第二側壁２０ａ、２０ｂそれぞれの円形開口部３４ａ、３６ａの前述の軸Ｂまわりに枢動できるようにしている。下部プラグ解放操作部２８は同様の構成およびハウジング１２内の配置である。
【００１２】
したがって上部レバー２２に力が加えられると上部レバー２２は回転経路２７で回転し、操作部２６は横になる。部分２２ａが操作部２６を押すと、次いで操作部２６が経路２９に沿って回転し、操作部２６の第一、第二および第三の腕４８ａ〜４８ｃを図１、図５および図６に示されるそれぞれのリリースラッチ６４ｃ〜６４ａに向かって回転させる。したがって、腕４８ｃ〜４６ａがリリースラッチ６４ａ〜６４ｃをそれぞれ押し下げると、これらリリースラッチは同時にラッチ位置からラッチ解除位置へ移動し、同様に、下部レバー２４をハウジング１２方向へ押すと、ラッチ６４ｄ〜６４ｆは同時にラッチ位置からラッチ解除位置へ動き、ラッチ６４ｄ〜６４ｆが解放される。上部レバー２２への下方向への力を抜くことにより、ラッチ６４ａ〜６４ｃへ加えられた力が除去され、弾性ラッチ６４ａ〜６４ｃはラッチ位置へ戻るように移動させられる。同様に、下部レバー２４は、ラッチ６４ｄ〜６４ｆと同じように作用する。したがって、使用者の親指および対向する指にてレバー２２および２４を把持することにより、使用者が容易に締め付ける力または押し付ける力をレバー２２および２４に与えることができ、それにより全てのリリースラッチ６４ａ〜６４ｆをラッチ解除位置に解放し、それにより使用者が容易に対応する一連のジャックに関する全てのプラグを同時に取り外す、または挿入することができる。
【００１３】
また第一および第二内部ハウジングクリップ３０、３２をハウジング１２内に配置することができる。図５に示すように、第一および第二内部ハウジングクリップ３０、３２は、上部および下部解放レバー２２、２４を有するハウジング１２に、上方または下方から略垂直に位置あわせして挿入される。いったんハウジング内に配置されると、隣接した、垂直配向の対のプラグの間に設置される。したがって、第二内部ハウジングクリップ３２は、第一組の垂直配向のプラグ１４ａ、１４ｄおよび第二組の垂直配向のプラグ１４ｂ、１４ｅの間に設置される。同様に、第一内部ハウジングクリップ３０は、第二組の垂直配向プラグ１４ｂ、１４ｅおよび第三組の垂直配向のプラグ１４ｃ、１４ｆの間に設置される。第一および第二内部ハウジングクリップ３０、３２は同一の構成であり、簡易脱着型プラグカセットアセンブリ１０にて同じ機能をはたすため、第一内部ハウジングクリップ３０のみをここでは詳細に説明する。
【００１４】
第一内部ハウジングクリップ３０は、略長方形および平面形状であり、かつ横に向かって延在する第一、第二および第三タブまたは突起６０、６２、６１を含む。各第一、第二および第三タブまたは突起６０、６２、６１は、隣接するプラグの横の部分に係合するよう設けられ、内部ハウジングクリップ３０がハウジング内に配置された際にハウジング１２からプラグが取り外されることを防いでいる。一方の上に他方が配置されたプラグ１４ｃおよび１４ｆと係合し、かつそれぞれのプラグの移動経路をブロックすることによってハウジング１２から取り外されることを防ぐように、各第一および第二タブ６０、６２は、第一内部ハウジングクリップ３０の平面から第一方向に外向きの角度が付けられる。第三タブ６１は、プラグに係合し、プラグ１４ｃの横に配置されたプラグ１４ｂの移動を防ぐために、第一内部ハウジングクリップ３０の平面から第二反対方向へ外向きに延在する。図８に明らかなように、突起６２はプラグ１４ｆをブロックし、矢印３５によって示されるプラグ１４ｆの移動経路に位置している。突起６２は、矢印３５によって示されるプラグ１４ｆの移動経路方向と逆の方向に延在する。カセットアセンブリ１０内に位置する場合、ハウジングクリップ３０および３２に配置された各突起は、アセンブリ１０内に配置されるプラグの移動経路をブロックするような位置にそれ自身を配置する。道具またはドライバーを挿入し、対応するブロッキング突起を略平面本体に向かってたわませ、接続されたケーブル方向へプラグを動かすことにより、残りのプラグを乱すことなくプラグ１４ｂ、１４ｃ、および１４ｆを個別に取り外すことができる。図１３に明らかなように、アセンブリ１０内に複数の溝２４６が設けられる。溝２４６により、対応するレセプタクル内に配置されたプラグのブロッキング位置にあるハウジングクリップの突起をたわませる道具またはドライバーをその中に挿入することができる。突起のたわみにより、アセンブリ１０内でブロックされている他のプラグを乱すことなく、容易にプラグを移動させることができる。
【００１５】
簡易脱着型プラグカセットアセンブリ１０は、プラグ１４ａ〜１４ｆを対応する多くのスイッチまたはジャックポートに同時に接続、および分離することができる方法にて動作する。上部および下部解放レバー２２、２４はそれぞれの上部および下部係合部分４０、４１が使用者の指および対向する親指によって把持される。図６に示すように上部解放レバー２２に矢印６６の方向にそって下方向の力が加えられる一方、対応する力が下部解放レバー２４の係合部分４１に反対方向に加えられる。上部解放レバー２２は、枢動コネクタを通る軸回りに下方向に枢動する。内側枢動コネクタのひとつ４４ｂは図７の断面図に示されている。下部プラグ解放レバー２４は、対応する枢動コネクタまわりに上方向に類似の枢動移動をする。図７に内側枢動コネクタのひとつ７２が示されている。上述したように、これら枢動コネクタのそれぞれは、上部および下部解放レバー２２、２４の前方部分をハウジング１２の前方部分に接続する。図１１に示すように、上部および下部解放レバー２２、２４の枢動移動は、上部および下部解放レバーにそれぞれ取り付けられ、側壁開口部３８ａ、３８ｂにそれぞれ設置されたタブ５０、５１により制限される。
【００１６】
図７に示すように、上部および下部解放レバー２２、２４のそれぞれの内表面に係合タブ２２ａ、２４ａが設置される。上部および下部解放レバー２２、２４の互いの方向への移動により、それぞれの係合タブ２２ａ、２４ａが上部および下部プラグ解放操作部２６、２８それぞれに係合する。上部プラグ解放操作部２６は、下方へ後部円柱棒４６まわりに枢動移動し、前方に延在する腕４８ａ〜４８ｃを図１、図２および図５に示されるプラグ１４ｃ〜ａの上部に設置されたプラグラッチ６４ｃ〜６４ａに係合させる。プラグラッチ６４ａ〜６４ｃは、上部プラグ解放操作部２６の前方に延在する腕４８ｃ〜４８ａとの係合により圧縮され、対応するスイッチまたはポートジャックから同時にプラグを引き抜くことができる。下部解放レバー２４は、上部解放レバー２２と同様に作用する。下部解放レバー２４は、プラグ解放操作部２８と係合し、ついで、操作部２８に関連する腕は、プラグ１４ｄ〜１４ｆのプラグラッチを圧縮することにより、プラグのラッチを解除し、対応するスイッチから引き抜くことができる。全てのプラグを同時に接続されたスイッチから解放するために、上部プラグ解放操作部２６の前方部分の下方への移動、および下部プラグ解放操作部２８の前方部分の上方への移動は、対応する各６つのプラグのプラグラッチを圧縮する。本発明に従い、上部および下部解放レバー２２、２４および上部および下部プラグ解放操作部２６、２８の組み合わせの同様の操作は、複数のプラグを複数のスイッチそれぞれに同時に接続することに使用される。
【００１７】
図８を参照すると、簡易脱着型プラグカセットアセンブリ１０の図１の線８−８に沿った水平の断面図が示され、ハウジング１２内の第一および第二内部ハウジングクリップ３０、３２の位置が表されている。この図に示されるように、第二内部ハウジングクリップ３２は、プラグ１４ｄおよび１４ｅの間に設置され、一方、第一内部ハウジングクリップ３０は、プラグ１４ｅおよび１４ｆの間に設置されている。第二内部ハウジングクリップ３２から横方向外向きに延在するロッキングタブ６３は、プラグ１４ｅの横の部分に係合して、矢印３７によって示される移動経路に沿って、ハウジング１２が取り外されることを防いでいる。同様に第一内部ハウジングクリップ３０から横方向に延在する第二ロッキングタブ６２は、プラグ１４ｆの横の部分と係合し、このプラグがハウジング１２から矢印３５によって示される移動経路に沿って取り外されることを防いでいる。
【００１８】
図９および図１０に示すように、ロッキングクリップ６８は、略Ｕ字形状の本体６９を有する。下記に詳細を記載する。図１６に示すように、ロッキングクリップ６８は、カセットアセンブリ１０の上部解放レバー２２の回転経路２７に挿入され、レバーが他のレバー２４に向かう方向へ動くことを阻害する。同様に、図１４に示すように、ロッキングクリップ６８を下部レバー２４に対して回転を阻害するように配置することができる。各解放レバー２２、２４に対しロッキングクリップ６８が用いられた場合に、両方の解放レバー２２、２４は、このような移動を阻害される。例えば解放レバー２２にクリップ６８が用いられない場合は、該解放レバーは、他の解放レバー２４に向かう方向へ動くことができ、それによりプラグ１４ａ〜１４ｃの列が電気接続から外れてしまう。解放レバー２４が解放レバー２２の方向に移動することができる場合は、プラグ１４ｄ〜１４ｆの列に同様なことが起こる。したがって、ラッチ解除されるこのようなプラグ列に隣接して配置された解放レバーのひとつの動きにより、プラグのひとつの列全体がスイッチ接続からラッチ解除される場合がある。この例において、プラグ１４ａ〜１４ｆの両方の列を素早く離脱するためには、解放レバー２２、２４を使用者が把持し、互いに押し下げ、それによってプラグ１４ａ〜１４ｆのラッチ６４ａ〜６４ｆをラッチ位置からラッチ解除位置へ動かす。把持力を解除することにより、ラッチ６４ａ〜６４ｆはラッチ位置に戻る。ロッキングクリップ６８は、ハウジングクリップ３０、３２のロッキングタブ６０〜６３へのアクセスのブロッキングツールとしてのさらなる機能を有し、（ここでは示していないが、参照としてここに組み込まれている２００８年１月１１日出願の米国特許出願第１２／０１３，２２５に開示されている。）それによりひとつのプラグ１４ａ〜１４ｆがカセットアセンブリ１０から外れる可能性をなくしている。結果として、ロッキングクリップ６８はプラグ１４ａ〜１４ｆをカセットアセンブリ１０に保持し、かつアセンブリ１０全体およびスイッチまたはパッチパネルなどの他の電気のシステムに接続された対応するパッチコードを保持するという、少なくとも二重の機能を有する。
【００１９】
ロッキングクリップ６８は、屈曲でき、かつ耐久性のあるいくつかの適した材料、例えばプラスチック、バネ鋼または類似した弾性金属から構成することができる。図９および図１０に示すように、この例においては、ロッキングクリップ６８は、略Ｕ字形状構造を構成し、それぞれつまみタブ７２を持つ対向する腕部材７０を有する。複数のつまみタブ７２は、クリップ６８において対向する側に配置される。使用者は、彼または彼女の親指をひとつのつまみタブ７２に、彼または彼女の対向する指を別の対向つまみタブ７２にそえることによりロッキングクリップ６８を把持することができる。把持する力、または圧縮力は、図１０の矢印７４に示されるようにつまみタブ７２に加えられ、それにより圧縮抵抗部材７６を共に矢印７８の方向に動かすことできる。圧縮抵抗部材７６が圧縮すると、弛緩状態の圧縮抵抗部材７６の二つの対向部分の間の距離を示す、ｘによって示される距離が縮まる。同時に、ロッキングクリップ６８において対向する側に配置された対向ロッキングタブ８０は、クリップ６８の弛緩状態の間隔距離ｄが距離ｄより短い距離になるように動かされる。
【００２０】
したがって、図１４および図１５に示すように、対向タブ８０を互いの方向へ引いた状態で、クリップ６８はカセットアセンブリ１０の対向側壁２０ａおよび２０ｂの間に挿入される。ロッキングクリップ６８の対向タブ８０がカセットアセンブリ１０の上部の対向側壁２０ａおよび２０ｂの間に配置された状態において、対向タブ８０は、それぞれの側壁２０ａおよび２０ｂの側壁対向開口部３８ａに位置が合うように配置される。同様に、側壁開口部３８ｂは、カセットアセンブリ１０の下部の対向側壁２０ａ、２０ｂ内に配置され、カセットアセンブリ１０の下部に配置されたロッキングクリップ６８のロッキングタブ８０を受け入れるということに留意しなければならない。ロッキングクリップ６８の構成およびカセットアセンブリ１０との係合は、カセットアセンブリ１０の上部または下部におけるロッキングクリップ６８の係合について同じである。
【００２１】
対向タブ８０が側壁対向開口部３８ａの位置に配置された状態のカセットアセンブリ１０の上部を参照すると、圧縮力７４は取り除かれ、対向タブ８０はさらなる弛緩位置に向かって戻り、それにより対向タブ８０が側壁対向開口部３８ａに挿入される。したがって、対向タブ８０が対向開口部３８ａ内に配置されている状態では、ロッキングクリップ６８は、カセットアセンブリ１０内の位置にロックされている。ロッキングクリップ６８をカセットアセンブリ１０の上部から取り外すには、対向タブ８０が対向開口部３８ａから取り外されるまでつまみタブ７２を互いの方向に向かってたわませ、その際にロッキングクリップをカセットアセンブリ１０から引き抜くことができる。同じ手順によりカセットアセンブリ１０の下部の対向開口部３８ｂに対しロッキングクリップ６８を導入および取り外すことができる。
【００２２】
図１１に示すように、ロッキングクリップ６８はカセットアセンブリ１０に挿入されるように配置される。上部解放レバー２２および下部解放レバー２４が他方の解放レバー方向へ動くことを防ぐために、ロッキングクリップ６８が適切に各上部および下部解放レバー２２、２４に隣接して配置される必要がある。図１２にロッキングクリップ６８が下部解放レバー２４に隣接して配置されて示されている。図１６においては、ロッキングクリップ６８は上部解放レバー２２隣接して配置されている。両方のロッキングクリップ６８が図１２および図１６に示す位置にある場合、解放レバー２２、２４は他方の解放レバーに向かう方向へ移動することができず、かつ全てのプラグ１４ａ〜１４ｆは電気接続がロックされた状態で保持される。
【００２３】
前述したように、解放レバー２２および２４は回転可能に側壁２０ａおよび２０ｂに取り付けられ、かつ解放レバー２２および２４はプラグ解放操作部２６および２８の位置にそれぞれ合わせられる。互いに向かう方向への解放レバー２２および２４の動きにより、プラグ解放操作部２６および２８はプラグ１４ａ〜１４ｆのプラグラッチ６４ａ〜６４ｆに係合し、ラッチ６４ａ〜６４ｆを解放またはアンロック位置へ移動すると同時に電気接続からプラグ６４ａ〜６４ｆを離脱することができる。
【００２４】
図１６に示すように、ロッキングクリップ６８が上部解放レバー２２に隣接して配置された状態において、ロッキングタブ８０は対向側壁開口部３８ａに係合する。側壁２０ｂの開口部３８ａは図１６に示されていないが、側壁２０ａに示された開口部と同様に側壁２０ｂに配置される。ロッキングタブ８０は、対向側壁２０ａ、２０ｂの対向開口部３８ａをふさぎ、同時に、上部解放レバー２２に接続しレバー２２の反対側から延在するタブ５０が、対向開口部３８ａをふさぐ。ロッキングタブ８０と同時にタブ５０が開口部３８ａをふさいでいる状態では、開口部３８ａは実質的にふさがれているため上部解放レバー２２の動きを制限する。図１６に側壁２０ｂの開口部３８ａは示されていないが、側壁２０ａの開口部３８ａと同じ構成である。結果として、対向開口部３８ａは、実質的にタブ５０およびロッキングタブ８０両方によってふさがれる。図１２および図１４に示されるように、この配置は、同じように下部解放レバー２４の動き制限する。ロッキングタブ８０は、下部解放レバー２４に接続されたタブ５１と同時に側壁２０ａおよび２０ｂに配置された対向開口部３８ｂをふさぐ。したがってロッキングクリップ６８が上部および下部解放レバー２２および２４に隣接して配置された状態において、対向開口部３８ａおよび３８ｂは実質的にふさがれ、かつ解放レバー２２および２４は互いの方向に向かう動きを制限される。結果として、操作部２６および２８は、それぞれのスイッチの電気接続からプラグ１４ａ〜１４ｆが外れることを防いでいる。この例において、タブ５０は、三角形の頂点がレバー２２から離れる方向に延在する略三角形形状である。
【００２５】
ロッキングタブ８０が開口部３８ａに配置されない場合、レバー２２のタブ５０は開口部３８ａの中を上下に移動することができ、それによりレバー２２が同じように移動することができる。
【００２６】
ロッキングクリップ６８が配置されている場合、カセットアセンブリ１０内のクリップ６８が当接する棚部材および解放レバー２２、２４の間の空間を占めることにより、解放レバー２２および２４の動きをさらに制限する。この点において、図１３は、カセットアセンブリ１０の上部に配置された棚部材８２および８４を示している。同様に、棚部材８６および８８はカセットアセンブリ１０の下部に配置される。カセットアセンブリ１０に対する上部解放レバー２２および対応するロッキングクリップ６８の配置は、カセットアセンブリ１０に対する下部解放レバー２４および対応するロッキングクリップ６８の配置と同じである。上部解放レバー２２はここで記載されるが、下部解放レバー２４の配置にも適用される。図１４および図１５を参照すると、ロッキングクリップ６８がカセットアセンブリ１０の上部の棚部材８２および８４にある状態が示されている。ロッキングクリップ６８がこの位置にある場合は、ロッキングクリップは解放レバー２２の下部および棚部材８４の間に形成された図７に示される空間８９をふさぐ。類似の空間はカセットアセンブリ１０の他側において棚部材８２および上部解放レバー２２の間に形成される。したがって、ロッキングクリップ６８がこのような空間をふさぐ位置にある場合、上部解放レバー２２が解放レバー２４に向かう方向へ動くことを防ぎ、それによりプラグ１４ａ〜１４ｃが電気接続に対してラッチ解除になることを防いでいる。同様に、ロッキングクリップ６８は、カセットアセンブリ１０下部の解放レバー２４および棚部材８６、８８の間の同様な空間をふさぎ、プラグ１４ｄ〜１４ｆがラッチ解除になることを防いでいる。
【００２７】
結果として、ロッキングクリップ６８は、二つの方法にて解放レバー２２、２４の動きを制限する。ひとつの方法では、ロッキングタブ８０が側壁対向開口部３８ａ、３８ｂを解放レバー２２、２４に接続するタブ５０、５１と共にふさぎ、開口部３８ａ、３８ｂは実質的にふさがれた状態になる。別の方法では、ロッキングクリップは、解放レバー２２、２４および対応する棚部材８２、８４、８６、８８の間にそれぞれ形成された空間をふさぐ。
【００２８】
図１６および図１７を参照すると、ロッキングクリップ６８はさらにロッキング位置に固定されることができる。上部解放レバー２２に対するロッキング位置にあるロッキングクリップ６８は、ケーブルタイ９０を使用することにより上部解放レバー２２に固定されている。ケーブルタイ９０は、上部解放レバー２２の開口部（図示せず）を通り、ロッキングクリップ６８の周り、および上部解放レバー２２の残りの部分を通る。ケーブルタイ９０は、多種多様なロッキング構造、または解除可能なロッキング構造とすることができる。この実施形態において、ロッキングケーブルタイは、取り外すために、切断されなければならないものが使用されている。そのうえ、この例においては、ケーブルタイ９０の一部分にラベル９２が設けられ、電気接続の情報を示すものとして使用することができる。ケーブルタイは、同様に、ロッキングクリップ６８を下部解放レバー２４にさらに固定するために用いられることができる。
【００２９】
この例において、ロッキングクリップ６８は、概して全て同じ大きさおよび形に構成され、かつ上部解放レバー２２または下部解放レバー２４をロックするために使用できるということが理解されるべきである。
【００３０】
図１２、図１４および図１５に示すように、ロッキングクリップ６８の追加的な特徴は、タブ９４を含むことである。図１２、図１４および図１５においてタブ９４は、ロッキングクリップ６８の反対側から延在する。図１６に示すように、ロッキングクリップ６８が上部解放レバー２２に対するロッキング位置にある場合、タブ９４は図１３に示されるカセットアセンブリ１０の開口部９６へのアクセスを阻害するよう配置されている。タブ９４が開口部９６の前に位置する場合、プラグ１４ａ、１４ｃのプラグラッチ６４ａ、６４ｃへのアクセスは阻害され、それにより人がこのようなラッチにアクセスすることを防いでおり、かつロッキングクリップ６８により上部解放レバー２２がロックされた位置にある個々のプラグ１４ａ、１４ｃがそれらの電気接続からロック解除されることを防いでいる。図１５に示す例においては、タブ９８が設けられている。タブ９８は、タブ９４と同じ方向に延在し、図１３に示される開口部９９へのアクセスを阻害している。タブ９８は、タブ９４と同じ目的で作用する。つまりタブ９８は、プラグ１４ｂのプラグラッチ６４ｂへのアクセスを防ぎ、ロッキングクリップ６８が配置された電気接続に対する個々のプラグ１４ｂがロック解除になることを防いでいる。同じ装置のタブ９４および９８は、図１３に示されるカセットアセンブリ１０の下部に位置する開口部１０１および１０３をブロックする。したがってロッキングクリップ６８が下部解放レバー２４に対して配置されている場合、タブ９４および９８はプラグ１４ｄ〜１４ｆのプラグラッチ６４ｄ〜６４ｆへのアクセスを阻害する。
【００３１】
さらなる実施形態は、図１８および図１９に示すように架橋クリップ１００を含む。クリップ１００は、バネ鋼材料または類似の材料から構成され、図２２および図２３に示されるように、二つのカセットアセンブリ１０を共に並べる配置の位置合わせおよび固定に使用される。通常、各カセットアセンブリ１０は、６個または８個の電気接続プラグを保持する位置を含むため、二つのカセット１０を共に並べて固定した状態では、簡単に解放できる１２〜１６のプラグ接続を設けることができる。このカセットアセンブリ１０の組み合わせまたは集合は、通常のパッチパネルに便利かつ効率的な電気接続を提供する。
【００３２】
示された例において、架橋クリップ１００は、略Ｌ字形状の側面を形成する。Ｌ字形状は、対向する先細側壁または斜角側壁１０６を構成する幅狭本体部分１０２および幅広本体部分１０４を備える。各幅狭本体部分１０２および幅広本体部分１０４は、先細対向側壁１０６から外向きに広がる下部１０８および１１０をそれぞれ有する。ここで記載されるように、フレア部分１０８、１１０は、架橋クリップ１００の二つの隣接するカセットアセンブリ１０の側壁２０ａおよび２０ｂへの係合を容易にし、クリップ１００を図２１の上端１１１の上に滑り込ませることができる。
【００３３】
クリップ１００の側壁１０６の先細形状は、側壁１０６が弛緩位置から離されるように引っぱられている場合に把持力を提供する。二つの隣接カセットアセンブリ１０の隣接する側壁２０ａおよび２０ｂをクリップ１００の先細側壁１０６内に配置するために、側壁１０６はわずかに引き離される。側壁１０６がわずかに引き離された状態において、対向側壁１０６は、側壁２０ａおよび２０ｂに拘束力を加える。クリップ１００の側壁１０６を離れさせる、または引き離すことを容易にするために、各側壁２０ａおよび２０ｂの上端１１１は、それぞれ斜角部分１１３（側壁２０ｂの斜角端１１３は図示されていないが、図２１の側壁２０ａと同じ形状である）を形成する。斜角端１１３は、側壁２０ａおよび２０ｂの上端１１１近くに全体的に狭い幅を提供する。クリップ１００のフレア部分１０８および１１０は、各側壁２０ａおよび２０ｂの斜角端１１３と係合する。クリップ１００を側壁２０ａおよび２０ｂに押し入れるために力が架橋クリップ１００に加えられると、フレア部分１０８および１１０は、斜角端１１３に滑り込み、側壁２０ａおよび２０ｂを合わせた幅が増加する。結果として、それによりクリップ１００の側壁１０６は広がる、または引き離される。斜角端１１３およびフレア部分１０８、１１０によって側壁１０６は滑らかに広がり離され、それによりクリップ１００は、側壁２０ａおよび２０ｂに把持力を加えることができる。
【００３４】
この例においては、側壁２０ａおよび２０ｂに加えられた把持力に加えて、架橋クリップ１００は、隣接する側壁２０ａおよび２０ｂをロックする。図１８および図１９に示すように、隣接するカセットアセンブリ１０の隣接する側壁２０ａおよび２０ｂの開口部１１４にロッキングタブ１１２の位置が合う場合、タブ１１２は先細対向側壁１０６の間の空間および開口部１１４に延在する。除去力またはリフト力がクリップ１００に加えられるとタブ１１２が開口部１１４の内周に係合するような向きになっているため、タブ１１２が開口部１１４に延在している状態においては、架橋クリップ１００は二つの隣接カセットアセンブリ１０を固定する係合からの移動に抵抗する。
【００３５】
図２２および図２３に示すように、二つのカセットアセンブリ１０が互いに関連して並んで配置されている状態において、この例では、二つのクリップ１００は、隣接するカセットアセンブリ１０の側壁２０ａおよび２０ｂに係合する。一方のクリップ１００は、カセットアセンブリ１０の上側に配置され、かつ他方のクリップ１００はカセットアセンブリ１０の下側に配置される。複数のカセットアセンブリ１０を共に固定するために二つのクリップ１００を使用することにより、固定を確実にすることができる。
【００３６】
図２０および図２１を参照すると、円形の開口部３４ａがカセットアセンブリ１０の側壁２０ａに配置されている。上述のように、開口部３４ａは、上部解放レバー２２に関連するプラグ解放操作部２６の円柱の棒４６を支持する。下部解放レバー２４に関連する同じ構成がカセットアセンブリ１０下部に設けられているが、便宜上、上部解放レバー２２に関連する円形開口部３４ａのみを説明する。プラグ解放操作部２６の円形棒４６と一方のカセットアセンブリ１０の側壁２０ａおよび他方の隣接カセットアセンブリ１０の隣接する側壁の側壁２０ｂの円形開口部３４ａとの係合を阻害しないように、架橋クリップ１００は、幅狭本体部分１０２を設けている。
【００３７】
幅広本体部分１０４は二つの並んだカセットアセンブリ１０の前および後ろの位置合わせの補助をする。二つの並んだカセットアセンブリ１０の隣接する側壁２０ａおよび２０ｂの頂部１１１の２つの斜角端１１３は、同じ長さであり、かつ両方のカセットアセンブリ１０上に各カセットアセンブリ１０の前および後ろに対して同じように配置される。端壁１１６は、それぞれのカセットアセンブリ１０の各斜角端１１３の末端に位置し、端壁１１６は、両方のカセットアセンブリ１０の前および後ろから概ね同じ距離に位置する。したがって使用者が二つのカセットアセンブリ１０を共に架橋クリップ１００によって固定する場合、使用者は単に架橋クリップ１００を側壁２０ａおよび２０ｂの上にスライドさせ、架橋クリップ１００の端１１８を隣接のカセットアセンブリ１０の両方の側壁２０ａおよび２０ｂの端壁１１６に当接させるように配置すればよい。したがって、隣接する各カセットアセンブリ１０の端壁１１６の位置が互いに合っている状態では、二つのカセットアセンブリ１０の前側および後ろ側は互いに位置が合う。
【００３８】
本発明の特定な例が示され説明されたが、変形および改良は、本発明の広い態様から逸脱することなく行われ得るということは、関連技術分野の当業者にとって明らかである。例えば本発明は、パッチコードケーブルおよびスイッチに接続されたプラグに関して説明されたが、この本発明は、電気信号伝送のためのプラグおよびソケットの任意の組み合わせに事実上適用できる。前述の説明、および添付図面おいて説明された事柄は、実例としてのみ、かつ制限されないものとして提供されるものである。
【符号の説明】
【００３９】
１０  簡易脱着型プラグカセットアセンブリ
１２  ハウジング
１４  プラグ
１６  電気接点
２０ａ  第一側壁
２０ｂ  第二側壁
２２  上部解放レバー
２２ａ  係合タブ
２４  下部解放レバー
２４ａ  係合タブ
２６  上部プラグ解放操作部
２８  下部プラグ解放操作部
３０  第一内部ハウジングクリップ
３２  第二内部ハウジングクリップ
３４ａ  開口部
３６ａ  開口部
３８  側壁開口部
４２  外側枢動コネクタ
４４  内側枢動コネクタ
４６  後部円柱棒
４８  腕
４９  切欠き
５０  タブ
５１  タブ
５２  外側保持部材
６２  突起
６４  リリースラッチ
６８  ロッキングクリップ
７２  つまみタブ
７６  圧縮抵抗部材
８０  対向ロッキングタブ
８２  棚部材
８４  棚部材
９０  ケーブルタイ
９４  タブ
９８  タブ
１００  架橋クリップ
１０６  先細側壁
１０２  幅狭本体部分
１０４  幅広本体部分
１０８  フレア部分
１１０  フレア部分
１１１  頂部
１１２  タブ
１１３  斜角端
１１４  開口部
１１６  端壁
【図１】
2010530121.tif 000003
【図２】
2010530121.tif 000004
【図３】
2010530121.tif 000005
【図４】
2010530121.tif 000006
【図５】
2010530121.tif 000007
【図６】
2010530121.tif 000008
【図７】
2010530121.tif 000009
【図８】
2010530121.tif 000010
【図９】
2010530121.tif 000011
【図１０】
2010530121.tif 000012
【図１１】
2010530121.tif 000013
【図１２】
2010530121.tif 000014
【図１３】
2010530121.tif 000015
【図１４】
2010530121.tif 000016
【図１５】
2010530121.tif 000017
【図１６】
2010530121.tif 000018
【図１７】
2010530121.tif 000019
【図１８】
2010530121.tif 000020
【図１９】
2010530121.tif 000021
【図２０】
2010530121.tif 000022
【図２１】
2010530121.tif 000023
【図２２】
2010530121.tif 000024
【図２３】
2010530121.tif 000025
【国際調査報告】
2010530121.tif 000026
2010530121.tif 000027
2010530121.tif 000028
2010530121.tif 000029
2010530121.tif 000030